(57)【要約】【課題】中紙の有無にかかわらず、収納する書類等の出し入れを容易に行うことができるファイル用ポケット及びその製造方法を提供する。【解決手段】原反ロール１０から引き出されて三角板１４を通過することにより、端部１６Ａ及び１６Ｂがずれるように折り曲げられた２つ折りフィルム１６は、切欠形成装置２０に送られる。切欠形成装置２０は、前記２つ折りフィルム１６の間に挟まれる板材２６と、前記２つ折りフィルム１６に対して昇降可能な型２４を備えており、前記型２４を板材２６に押し当てることによって、２つ折りフィルム１６の表面１６Ｄ側の縁部１６Ａにのみ切欠２８を形成する。その後、吸引装置３２によって樹脂フィルムの切断片３０を吸引除去し、最後に、プレス装置３４によって、２つ折り樹脂フィルム１６の表裏面を所定の間隔で溶着切断して、ポケット５０を得る。【選択図】図１
2011156659.tif 000002
【特許請求の範囲】
【請求項１】
折り目と縁部が略平行になるように２つ折りにされた樹脂製フィルムの間に板材を挟み、２つの縁部の少なくとも一方に切欠を形成する工程，
を含むことを特徴とするファイル用ポケットの製造方法。
【請求項２】
ロール状に巻き取られた所定幅の樹脂製フィルムを引き出し、該フィルムを幅方向の略中央で２つ折りにし、折り目と縁部が略平行になるように折り目の両側を重ねる工程，
該工程で２つ折りにされた樹脂製フィルムの間に板材を挟み、２つの縁部の少なくとも一方に切欠を形成する工程，
前記折り目と略直交するように前記２つ折りにされた樹脂製フィルムを所定の長さに溶着切断し、前記工程で形成された切欠側のみが開口した袋状のポケットを形成する工程，
を含むことを特徴とするファイル用ポケットの製造方法。
【請求項３】
前記切欠の形成により発生した樹脂製フィルムの切断物を吸引ないし巻き取りにより除去する工程，
を含むことを特徴とする請求項１又は２記載のファイル用ポケットの製造方法。
【請求項４】
前記切欠の形成工程において、２枚重ねになった樹脂製フィルムの一方の縁部にのみ切欠を形成することを特徴とする請求項１〜３のいずれかに記載のファイル用ポケットの製造方法。
【請求項５】
前記切欠の形成工程において、２枚重ねになった樹脂製フィルムの双方の縁部に切欠を形成するとともに、前記切欠の位置又は形状が、前記板材の表裏で異なることを特徴とする請求項１〜３のいずれかに記載のファイル用ポケットの製造方法。
【請求項６】
前記切欠を、型抜きにより形成することを特徴とする請求項１〜５のいずれかに記載のファイル用ポケットの製造方法。
【請求項７】
前記切欠を、回転体の外周面に設けた刃で切断して形成することを特徴とする請求項１〜５のいずれかに記載のファイル用ポケットの製造方法。
【請求項８】
前記切欠を、レーザ切断により形成することを特徴とする請求項１〜５のいずれかに記載のファイル用ポケットの製造方法。
【請求項９】
前記樹脂製フィルムが透明性を有していることを特徴とする請求項１〜８のいずれかに記載のファイル用ポケットの製造方法。
【請求項１０】
請求項１〜９のいずれかに記載の製造方法によって形成されたことを特徴とするファイル用ポケット。
【発明の詳細な説明】
【技術分野】
【０００１】
本発明は、書類や新聞のスクラップ，写真などのファイルに使用されるファイル用ポケット及びその製造方法に関するものである。
【背景技術】
【０００２】
従来より、書類や新聞のスクラップ，写真などのファイルには、クリアブックなどが用いられる。クリアブックは、上端が開口した透明な合成樹脂製の平たいポケットを複数枚綴じたものであって、前記ポケットには表裏の仕切りと硬度の付与を兼ねて、中紙が挿入されているものがある。このような構造のポケットとしては、例えば、以下の特許文献１に示すクリアブックのポケット構造がある。前記中紙を挿入することにより、ポケットの両面を収納スペースとして使用することができる。
【先行技術文献】
【特許文献】
【０００３】
【特許文献１】特開２００１−２４６８８９号公報
【発明の概要】
【発明が解決しようとする課題】
【０００４】
上述した従来のポケットは、内側及び外側の透明フィルムと中紙の大きさが全て同じだと、収納部（書類など）の出し入れに時間がかかるため、透明フィルムの開口した縁部に略半月状の切欠などを設けることがある。その場合、通常は、効率的な作業を行うために、内側フィルムと外側フィルムを重ねてプレス切断するが、このように切断すると、内側及び外側フィルムに形成される切欠の位置及び形状が同じになる。しかしながら、これは中紙の挿入を前提とした場合に適した手法であり、中紙なしでポケットを使用した場合には、上述した収納物の出し入れの問題が解消できないという不都合がある。また、中紙を利用するポケットでは、薄いフィルムの出し入れ口を開口して中紙を挿入する作業に手間がかかり、製造コストが高くなるという不都合もある。
【０００５】
本発明は、以上の点に着目したもので、その目的は、中紙の有無にかかわらず、収納する書類等の出し入れを容易に行うことができるファイル用ポケット及びその製造方法を提供することである。
【課題を解決するための手段】
【０００６】
本発明のファイル用ポケットの製造方法は、折り目と縁部が略平行になるように２つ折りにされた樹脂製フィルムの間に板材を挟み、２つの縁部の少なくとも一方に切欠を形成する工程，を含むことを特徴とする。
【０００７】
他の発明のファイル用ポケットの製造方法は、ロール状に巻き取られた所定幅の樹脂製フィルムを引き出し、該フィルムを幅方向の略中央で２つ折りにし、折り目と縁部が略平行になるように折り目の両側を重ねる工程，該工程で２つ折りにされた樹脂製フィルムの間に板材を挟み、２つの縁部の少なくとも一方に切欠を形成する工程，前記折り目と略直交するように前記２つ折りにされた樹脂製フィルムを所定の長さに溶着切断し、前記工程で形成された切欠側のみが開口した袋状のポケットを形成する工程，を含むことを特徴とする。
【０００８】
主要な形態の一つは、前記切欠の形成により発生した樹脂製フィルムの切断物を吸引ないし巻き取りにより除去する工程，を含むことを特徴とする。他の形態は、前記切欠の形成工程において、(1)２枚重ねになった樹脂製フィルムの一方の縁部にのみ切欠を形成する，あるいは、(2)２枚重ねになった樹脂製フィルムの双方の縁部に切欠を形成するとともに、前記切欠の位置又は形状が、前記板材の表裏で異なることを特徴とする。更に他の形態は、前記切欠を型抜き，回転体の外周面に設けた刃による切断，レーザ切断のいずれかにより形成することを特徴とする。更に他の形態は、前記樹脂製フィルムが透明性を有していることを特徴とする。
【０００９】
本発明のファイル用ポケットは、請求項１〜９のいずれかに記載の製造方法によって形成されたことを特徴とする。本発明の前記及び他の目的，特徴，利点は、以下の詳細な説明及び添付図面から明瞭になろう。
【発明の効果】
【００１０】
本発明によれば、折り目と縁部が略平行になるように２つ折りにした樹脂製フィルムの間に板材を挟み、２つの縁部の少なくとも一方に切欠を形成した後、前記樹脂製フィルムを所定の長さに溶着切断することとした。このため、開口する縁部に切欠を有するファイル用ポケットを容易に製造することができる。また、前記切欠を一方の縁部にのみ設ける，あるいは、２つの縁部に設ける切欠の位置又は形状をずらすことにより、中紙がなくても収納物の出し入れが容易になるという効果が得られる。
【図面の簡単な説明】
【００１１】
【図１】図１は本発明の実施例１を示す図であり、(A)は製造装置の全体構成を示す図，(B)は樹脂フィルムを２つ折りにする様子を示す斜視図，(C)は樹脂フィルムに切欠を形成する様子を示す斜視図，(D)は樹脂フィルムを溶着及び切断してポケットを形成する様子を示す斜視図，(E)は完成したポケットを示す平面図である。
【図２】図２は本発明の実施例２を示す図であり、(A)は製造装置の全体構成を示す図，(B)は樹脂フィルムに切欠を形成する様子を示す斜視図である。
【図３】図３は本発明の他の実施例を示す図である。
【図４】図４は本発明の他の実施例を示す図である。
【発明を実施するための形態】
【００１２】
以下、本発明を実施するための最良の形態を、実施例に基づいて詳細に説明する。
【実施例１】
【００１３】
最初に、図１を参照しながら本発明の実施例１を説明する。本実施例は、例えばクリアブックなどに使用される透明のポケットを製造するものである。図１(A)は、本実施例で使用する製造装置の全体構成を示す図，図１(B)は樹脂フィルムを２つ折りにする様子を示す斜視図，図１(C)は樹脂フィルムに切欠を形成する様子を示す斜視図，図１(D)は樹脂フィルムを溶着切断してポケットを形成する様子を示す斜視図である。図１(E)は本実施例の製造方法により製造したポケットを示す平面図である。図１(E)に示すように、本実施例のポケット５０は、透明フィルムが２枚重ねになった構造となっており、下端５２で折り返され、両側端５４及び５６が熱溶着（ヒートシール）されている。また、二つの上端５８Ａ及び５８Ｂは、若干ずれており、一方の上端５８Ａの略中央には略弓状の切欠が形成されている。書類などの収納物（図示せず）は、前記上端５８Ａ及び５８Ｂの間の出し入れ口６０を開口して収納される。
【００１４】
本実施例で使用する装置構成は、例えば、図１(A)に示すようになっている。すなわち、所定幅の樹脂フィルム１２の原反ロール１０，前記樹脂フィルム１２を２つ折りする三角板１４，２つ折りフィルム１６にテンションを加える段差ローラ１８，２つ折りフィルム１６に所望の切欠を形成する切欠形成装置２０，樹脂フィルムの切断片３０を除去する吸引装置３２，２つ折りフィルム１６を所定の長さに溶着切断するプレス装置３４などにより構成されている。
【００１５】
前記樹脂フィルム１２は、例えば、ＰＰ（ポリプロピレン）やＰＥＴ（ポリエチレン・テレフタレート)などのプラスチックフィルムや生分解性フィルムなどの透明性を有する合成樹脂である。また、前記段差ローラ１８は、複数のローラにより構成されており、前記三角板１４側から連続的に送られてくる２つ折りフィルム１６に、所定のタイミングでテンションを加えて、前記切欠形成装置２０側に間欠的にフィルムを送るためのものである。すなわち、切欠形成装置２０で切欠を形成する間は、複数のローラで２つ折りフィルム１６を図の上下方向に引き伸ばすことにより、移送を一時的に停止させて間欠送りすることが可能となっている。
【００１６】
次に、切欠形成装置２０は、図１(A)及び(C)に示すように、２つ折りフィルム１６を受ける台２２と、前記２つ折りフィルム１６の表面１６Ｄと裏面１６Ｅの間に挟まれる板材２６，前記２つ折りフィルム１６に対して昇降する型２４などにより構成されている。なお、前記表面１６Ｄ及び裏面１６Ｅは、図示の板材２６の上方と下方に位置するものをそれぞれ示しており、完成品の表裏を規定するものではない。前記板材２６としては、例えば，鉄板，非鉄板(真鍮，銅，りん青銅など)のほか、樹脂板などが用いられる。更に、本実施例では、前記型２４は、略弧状となっており、これによって略弓状の切欠２８が形成される。なお、該型２４の昇降機構は公知である。
【００１７】
前記プレス装置３４は、２つ折りフィルム１６を受ける台３６と、前記２つ折りフィルム１６の上方に配置された昇降可能な基部３８と、該基部３８に設けられた刃４０などにより構成されている。本実施例では、前記刃４０として、切断刃を備えた加熱体によって溶着と切断を一緒に行うものを用いており、これによって２つ折りフィルム１６を熱溶着しながら所定の長さに切断することが可能となっているが、溶着刃と切断刃を別々に設けるような構成としてもよい。なお、基部３８の昇降機構については公知である。
【００１８】
次に、本実施例による製造手順の一例を説明する。原反ロール１０から引き出された樹脂フィルム１２は、図１(B)に示すように、角が下を向くように配置された三角板１４の表面に沿って下方に滑らせて側方に引くことにより、折り目１６Ｃに対して縁部１６Ａ及び１６Ｂが略平行となるように、幅方向の略中央で２つ折りにされる。本実施例では、表面側の縁部１６Ａと裏面側の縁部１６Ｂが若干ずれる（すなわち、段差が形成される）ように２つ折りにされるが、完全に重なるように折ってもよく、その重なり具合は、三角板１４の角を当てる位置の変更により調節可能である。次いで、２つ折りフィルム１６は、段差ローラ１８を経て切欠形成装置２０へ送られる。ここで、２つ折りフィルム１６は、前記板材２６の表側と裏側に分かれ、表面１６Ｄ側の縁部１６Ａに型２４により切欠２８が形成される。なお、前記板材２６を設けているため、裏面１６Ｅの縁部１６Ｂに切欠が形成されることはない。２つ折りフィルム１６から切り離された切断片３０は、吸引装置３２により吸い取られて除去される。
【００１９】
最後に、前記２つ折りフィルム１６をプレス装置３４に送り、図１(D)に示すように、前記切欠２８を間に挟み、かつ、折り目１６Ｃに略直交する位置で、２つ折りフィルム１６の表面１６Ｄと裏面１６Ｅを熱溶着すると同時に切断する。以上のようにして、図１(E)に示すように、出し入れ口６０側の縁部５８Ａ及び５８Ｂに段差があり、かつ、一方の縁部５８Ａに切欠２８が形成されたポケット５０が完成する。該ポケット５０の出し入れ口６０は、上端５８Ａ及び５８Ｂに段差が形成されているため開口しやすく、書類などを容易に収納することができる。また、収納後は、前記上端５８Ａに設けた切欠２８により出し入れ口６０が開口しやすいため、収納物をスムースに取り出すことができる。
【００２０】
このように、実施例１によれば、次のような効果がある。
(1)２つ折りフィルム１６の間に板材２６を挟んで型抜きを行うこととしたので、一方の面の縁部１６Ａにのみ容易に切欠２８を設けることができる。
(2)前記ポケット５０の上端５８Ａと５８Ｂに段差を設けるとともに、前記上端５８Ａに切欠２８を設けることとしたので、中紙がなくても、ポケット５０の出し入れ口６０を開口しやすく、書類などの収納物の出し入れをスムースに行うことができる。
(3)吸引装置３２を設けることとしたので、樹脂フィルムの切断片３０の除去ないし処理が容易である。
(4)熱溶着と同時に切断を行うこととしたので、製造工程の短縮が可能となる。
(5)透明性を有する樹脂フィルム１２を使用しているため、収納物を閲覧しやすい。
【実施例２】
【００２１】
次に、図２を参照しながら本発明の実施例２を説明する。なお、上述した実施例１と同一ないし対応する構成要素には同一の符号を用いることとする。前記実施例１は、型抜きによって２つ折りフィルム１６に切欠２８を形成することとしたが、本実施例は、回転体の外周面に設けた刃によって前記切欠２８を形成する例である。図２は、本実施例の製造装置の全体構成を示す図，(B)は樹脂フィルムに切欠を形成する様子を示す斜視図である。本実施例で使用する装置の構成は、例えば、図２(A)のようになっており、三角板１４，切欠形成装置１００，吸引装置３２，プレス装置３４などにより構成されている。前記実施例１では、間欠送りされる２つ折りフィルム１６にテンションを加える段差ローラ１８を設けることとしたが、本実施例では、前記２つ折りフィルム１６を連続的に送ることとしたので、段差ローラ１８は省略されている。
【００２２】
前記切欠形成装置１００は、２つ折りフィルム１６を受ける受けローラ１０２と、前記２つ折りフィルム１６の表面１６Ｄと裏面１６Ｅの間に挟まれる板材２６，前記２つ折りフィルム１６に切欠２８を形成するための刃１０６を備えた回転ローラ１０４，その駆動機構１１０などを含んでいる。このほか、２つ折りフィルム１６に所定間隔で形成されたマーク１１４を検知するためのセンサ１１６，該センサ１１６の検出結果に応じて、前記回転ローラ１０４の回転速度を調整する調速機構１１８を含んでいる。前記マーク１１４は、例えば、図示しないマーキング装置などによって、ポケット５０の一枚分の幅に相当する間隔で形成されている。また、前記受けローラ１０２及び回転ローラ１０４は、図示しない軸受などにより回転可能に支持されている。
【００２３】
前記回転ローラ１０４の外周面には、径方向に若干立ち上がった略弧状の刃１０６が設けられている。また、前記回転ローラ１０４の円周の長さは、切断装置３４により切断しようとする幅（すなわち、ポケット５０の幅）よりも若干長くなるように設定されている。このため、２つ折りフィルム１６の送り速度と、回転ローラ１０４の周速度が同じになるように駆動すると、前記刃１０６が所望の位置に達しなくなる。本実施例では、このような位置ずれを補正するため、前記２つ折りフィルム１６に所定間隔で設けたマーク１１４をセンサ１１６が検知すると、前記調速機構１１８によって回転ローラ１０４の回転を速めて、刃１０６が所望の位置になるように速度を補正する。このようにすると、回転ローラ１０４の回転によって、２つ折りフィルム１６の所定の位置に切欠２８を形成することができる。
【００２４】
次に、本実施例による製造手順の一例を説明する。原反ロール１０から引き出された樹脂フィルム１２は、三角板１４を通過することによって２つ折りにされ、上述した切欠形成装置１００に送られる。なお、前記樹脂フィルム１２又は２つ折りフィルム１６には、前記切欠形成装置１００へ送られる前に、予め所定間隔でマーク１１４が付与される。切欠形成装置１００へ送られた２つ折りフィルム１６は、前記板材２６の表側と裏側に分かれ、表面１６Ｄ側の縁部１６Ａが回転ローラ１０４の刃１０６で切断されて、切欠２８が形成される。
【００２５】
このとき、センサ１１６がマーク１１４を検出すると、調速機構１１８により回転ローラ１０４の回転を速めて刃１０８の位置を補正するため、切欠２８を形成する位置がずれることがない。以上のようにして２つ折りフィルム１６から切り離された切断片３０は、上述した実施例１と同様に、吸引装置３２により吸い取られて除去される。なお、吸引装置３２を通過した後の加工手順については、上述した実施例１と同様である。
【００２６】
以上説明したように、実施例２によれば、回転ローラ１０４の外周面に刃１０６を設け、前記回転ローラ１０４の回転により、移動中の２つ折りフィルム１６に切欠２８を形成することとした。このため、簡単な装置構成で、２つ折りフィルム１６の移動を停止させることなく、効率良く加工を行うことができる。また、２つ折りフィルム１６に所定間隔で設けたマーク１１４を検知するセンサ１１６を設け、該センサ１１６の検出結果に応じて調速機構１１８により回転ローラ１０４の回転を制御することとしたので、切欠２８の位置ずれを防止することができる。他の効果は、上述した実施例１と同様である。
【００２７】
なお、本発明は、上述した実施例に限定されるものではなく、本発明の要旨を逸脱しない範囲内において種々変更を加え得ることができる。例えば、以下のものも含まれる。
(1)前記実施例１及び２で示した形状，寸法，材質は一例であり、必要に応じて適宜変更してよい。例えば、前記実施例１及び２では、ポケット５０の上端５８Ａ及び５８Ｂに段差を設けることとしたが、該段差は必要に応じて設けるようにすればよい。また、切欠２８の形状も一例であり、略半月状や長方形状などの他の形状とすることを妨げるものではない。
【００２８】
(2)上述した装置構成も一例であり、同様の効果を奏するように、適宜設計変更してよい。例えば、前記実施例１では、縁部１６Ａ及び１６Ｂをずらした２つ折りフィルムの一方の縁部１６Ａを略弧状に切断することとしたが、図３(A)に示すように、縁部１６Ａ及び１６Ｂが重なるように２つ折りし、型７０を用いて縁部の段差と切欠を同時に形成するようにしてもよい。また、このとき、上述した吸引装置３２の代わりに巻取装置７４を設けることにより、樹脂フィルムの切断片７２をスムースに除去することができる。
【００２９】
また、前記実施例２についても、例えば、図４(A)に示すように、略弧状の凸部１２０Ａを備えた略リング状の刃１２０を、回転ローラ１０４Ａの外周面に設け、該刃１２０によって、上述した図３(A)に示す例と同様に、縁部の段差と切欠を同時に形成したり、巻取装置７４によって樹脂フィルムの切断片７２を巻き取って除去したりしてもよい。更に、図４(B)に示すように、回転ローラ１０４Ｂの外周面に、略弧状の刃１０６Ａ及び１０６Ｂを適宜間隔で設けるようにしてもよい。あるいは、図４(C)に示すように、略弧状の凸部１２２Ａ及び１２２Ｂを備えた略リング状の刃１２２を設けるようにしてもよい。また、図４(D)に示すように、回転ローラ１０４Ｄの外周面に、前記図４(A)で示した略リング状の歯１２０を複数段（図示の例では３段）設けて、ポケットの切欠を複数段同時に形成するようにしてもよい。
【００３０】
(3)前記実施例１では、ポケット５０の一方の面にのみ切欠２８を設けることとしたが、両面に切欠を形成するようにしてもよい。例えば、図３(B-1)に示すポケット８０は、下端８２が折り目となっており、両側端８４及び８６が溶着されるとともに、表裏の上端８８及び９０が重なっている。また、一方の上端８８には切欠８８Ａが形成され、他方の上端９０には、前記切欠８８Ａと位置がずれるように切欠９０Ａが形成されている。これは例えば、図３(B-2)に示すように、２つ折りフィルムの表面１６Ａ側と裏側１６Ｂにそれぞれ型９２及び９４を設けることにより実現される。このように、両面に切欠８８Ａ及び９０Ａを設けるようにすると、ポケット８０の表裏を考慮せず使用することができる。むろん、前記実施例２についても同様に、受けローラ１０２にも刃を設けることにより、図３(B-1)に示す例と同様のポケット８０を得るようにしてもよい。
【００３１】
(4)前記実施例１の型２４，９２，９４による型抜きや、前記実施例２の刃１０６による切断も一例であり、図３(C)に示すように、レーザ装置９６で切欠２８を形成するようにするなど、他の手法により切欠を形成するようにしてよい。
【００３２】
(5)本発明は、書類のほか、葉書や写真、切手シートなど公知の各種の収納物をファイルするためのポケット全般に適用可能である。
【産業上の利用可能性】
【００３３】
本発明によれば、折り目と縁部が略平行になるように２つ折りにした樹脂製フィルムの間に板材を挟み、２つの縁部の少なくとも一方に切欠を形成した後、前記樹脂フィルムを所定の長さに溶着切断することとしたので、書類などのファイルに利用されるポケットの用途に適用できる。特に、前記切欠を一方の縁部にのみ設ける，あるいは、２つの縁部に設ける切欠の位置ないし形状をずらすことにより、収納物の出し入れが容易になるため、中紙を利用しないポケットの用途に好適である。
【符号の説明】
【００３４】
１０：原反ロール
１２：樹脂フィルム
１４：三角板
１６：２つ折りフィルム
１６Ａ，１６Ｂ：縁部
１６Ｃ：折り目
１６Ｄ：表面
１６Ｅ：裏面
１８：段差ローラ
２０：切欠形成装置
２２：台
２４：型
２６：板材
２８：切欠
３０：切断片
３２：吸引装置
３４：プレス装置
３６：台
３８：基部
４０：刃
５０：ポケット
５２：下端
５４，５６：側端
５８Ａ，５８Ｂ：上端
６０：出し入れ口
７０：型
７２：切断片
７４：巻取装置
８０：ポケット
８２：下端
８４，８６：側端
８８，９０：上端
８８Ａ，９０Ａ：切欠
９２，９４：型
９６：レーザ装置
１００：切欠形成装置
１０２：受けローラ
１０４，１０４Ａ〜１０４Ｄ：回転ローラ
１０６，１０６Ａ，１０６Ｂ，１２０，１２２：刃
１１０：駆動機構
１１４：マーク
１１６：センサ
１１８：調速機構
１２０Ａ，１２２Ａ，１２２Ｂ：凸部
【図１】
2011156659.tif 000003
【図２】
2011156659.tif 000004
【図３】
2011156659.tif 000005
【図４】
2011156659.tif 000006